(57)【特許請求の範囲】
【請求項１】
互いに対向する一対の支柱と、前記一対の支柱の上端にわたって設けられた手摺笠木と、前記一対の支柱および前記手摺笠木の間に取り付けられた手摺材とを備える建具であって、
前記一対の支柱における互いに対向する面には、互いに近づく方向にそれぞれ突出する手摺材支持部が設けられ、
前記手摺笠木の下端および前記手摺材の上端のうち一方には、嵌合部が設けられ、他方には、被嵌合部が設けられ、
前記手摺材の下端には、前記手摺材支持部を支点にして前記手摺材が回動可能なように前記手摺材支持部で支持される被支持部と、当該被支持部の見込み方向の一方側に配置され前記嵌合部が前記被嵌合部に嵌め込まれた状態で前記手摺材を位置決めする位置決め部とが設けられる建具。
【請求項２】
前記手摺材には、当該手摺材の下端面に設けられた係合基部と、前記係合基部の見込み方向の両端から下方に延出する一対の延出部とを有する断面略コ字状の係合部が設けられ、
前記見込み方向の一方側の前記延出部および前記係合基部の少なくとも一方には、前記係合部の内部に突出して、前記手摺材支持部の上部に当接する係合突部が設けられ、
前記係合突部は、前記手摺材を斜めにした状態において、前記見込み方向の他方側の前記延出部と当該係合突部との間の空間に、前記手摺材支持部を位置させることが可能な状態で設けられ、
前記位置決め部は、前記係合突部により構成され、
前記被支持部は、前記係合基部における前記空間に面する部分により構成される請求項１に記載の建具。
【請求項３】
互いに対向する一対の支柱と、前記一対の支柱の上端にわたって設けられた手摺笠木と、前記一対の支柱および前記手摺笠木の間に取り付けられた手摺材とを備える建具の施工方法であって、
前記一対の支柱における互いに対向する面には、互いに近づく方向にそれぞれ突出する手摺材支持部が設けられ、
前記手摺笠木の下端および前記手摺材の上端のうち一方には、嵌合部が設けられ、他方には、被嵌合部が設けられ、
前記手摺材の下端には、前記手摺材支持部を支点にして前記手摺材が回動可能なように前記手摺材支持部で支持される被支持部と、当該被支持部の見込み方向の一方側に配置され前記嵌合部が前記被嵌合部に嵌め込まれた状態で前記手摺材を位置決めする位置決め部とが設けられ、
前記手摺材を斜めにして前記被支持部を前記手摺材支持部で支持させ、
前記手摺材支持部を支点にして前記手摺材を回動させることで、前記嵌合部と前記被嵌合部とを対向させ、
前記手摺材を上方に移動させて前記嵌合部を前記被嵌合部に嵌め込み、
前記手摺材の下端を見込み方向の他方側に回動させて前記位置決め部により前記手摺材を位置決めする建具の施工方法。
【発明の詳細な説明】
【技術分野】
【０００１】
本発明は、建具、および、建具の施工方法に関し、詳しくは、互いに対向する一対の支柱と、一対の支柱の上端にわたって設けられた手摺笠木と、一対の支柱および手摺笠木の間に取り付けられた手摺材とを備える建具、および、建具の施工方法に関する。
【背景技術】
【０００２】
従来、バルコニーなどに用いられる構造体として、上下一対の桟材の間に、面格子やパネルなどの手摺材を取り付けた構造体が知られている（例えば、特許文献１，２参照）。
【０００３】
特許文献１の構成では、それぞれ取付孔を有する上部横桟および下部横桟と、上下に取付ピンを有するパネル（手摺材）とを用い、構造体を施工する際には、まず、パネル上部の取付ピンを上部横桟の取付孔に斜め方向から挿入する。そして、パネルを回動させて鉛直状態とし、抜け止めリングを取り付けたパネル下部の取付ピンを下部桟材の取付孔に落とし込み、上部の取付ピンに抜け止めリングを取り付けることで、パネルを固定している。
【０００４】
一方、特許文献２の構成では、挿入用凹溝を有する笠木と、固定用凹溝を有する前面桁と、格子（手摺材）とを用い、構造体を施工する際には、まず、格子の上端部を挿入用凹溝の係止部に係止させながら挿入用凹溝に挿入する。そして、格子の下端部を回動させて、固定用凹溝の係止部に係止させながら固定用凹溝に挿入して載置することで、格子を固定している。
【先行技術文献】
【特許文献】
【０００５】
【特許文献１】実開昭５９−１０２７３１号公報
【特許文献２】実開昭６０−９４５３０号公報
【発明の概要】
【発明が解決しようとする課題】
【０００６】
しかしながら、特許文献１のような構成では、上部横桟および下部横桟にパネルを固定する際に、上部の取付ピンに抜け止めリングを取り付ける必要があり、施工が煩雑になるという問題がある。
また、特許文献２のような構成では、前後左右方向においては係止部によって格子が固定されているが、上下方向には固定されていないという問題がある。
【０００７】
本発明の目的は、容易にかつ適切に施工可能な建具、および建具の施工方法を提供することにある。
【課題を解決するための手段】
【０００８】
本発明の建具は、互いに対向する一対の支柱と、前記一対の支柱の上端にわたって設けられた手摺笠木と、前記一対の支柱および前記手摺笠木の間に取り付けられた手摺材とを備える建具であって、前記一対の支柱における互いに対向する面には、互いに近づく方向にそれぞれ突出する手摺材支持部が設けられ、前記手摺笠木の下端および前記手摺材の上端のうち一方には、嵌合部が設けられ、他方には、被嵌合部が設けられ、前記手摺材の下端には、前記手摺材支持部を支点にして前記手摺材が回動可能なように前記手摺材支持部で支持される被支持部と、当該被支持部の見込み方向の一方側に配置され前記嵌合部が前記被嵌合部に嵌め込まれた状態で前記手摺材を位置決めする位置決め部とが設けられることを特徴とする。
【０００９】
ここで、建具としては、バルコニー、テラス、ベランダ、集合住宅の廊下、外階段などに用いられる手摺などが例示できる。さらに、手摺材としては、縦格子や横格子などの面格子、網入りガラスやアクリル、金属板、金網などを有するものが例示できる。
【００１０】
以上の本発明によれば、以下の手順により建具を施工することができる。すなわち、手摺材を斜めにして、当該手摺材の被支持部を支柱の手摺材支持部で支持させた後、手摺材支持部を支点にして手摺材を回動させることで、例えば手摺材の嵌合部と例えば手摺笠木の被嵌合部とを対向させる。そして、手摺材を上方に移動させて嵌合部を被嵌合部に嵌め込み、手摺材の下端を見込み方向の他方側に回動させて位置決め部により手摺材を位置決めすることで、施工を完了することができる。
したがって、施工途中に新たな部品を取り付けることがないため、建具を容易に施工できる。また、手摺材の下端を見込み方向の他方側に回動させるだけの簡単な手順で、嵌合部を手摺笠木の被嵌合部に嵌め込むことができるとともに、手摺材を位置決めできる。
【００１１】
本発明の建具では、前記手摺材には、当該手摺材の下端面に設けられた係合基部と、前記係合基部の見込み方向の両端から下方に延出する一対の延出部とを有する断面略コ字状の係合部が設けられ、前記見込み方向の一方側の前記延出部および前記係合基部の少なくとも一方には、前記係合部の内部に突出して、前記手摺材支持部の上部に当接する係合突部が設けられ、前記係合突部は、前記手摺材を斜めにした状態において、前記見込み方向の他方側の前記延出部と当該係合突部との間の空間に、前記手摺材支持部を位置させることが可能な状態で設けられ、前記位置決め部は、前記係合突部により構成され、前記被支持部は、前記係合基部における前記空間に面する部分により構成されることが好ましい。
本発明によれば、断面略コ字状の係合部に、当該係合部内に突出する係合突部を設けて位置決め部として機能させるとともに、係合基部における手摺材支持部を位置させることが可能な空間に面する部分で被支持部を構成している。このため、断面略コ字状の部材に突片状の部位を設けるだけの簡単な構成で、上述の効果を奏することができる建具を提供できる。
【００１２】
本発明の建具の施工方法は、互いに対向する一対の支柱と、前記一対の支柱の上端にわたって設けられた手摺笠木と、前記一対の支柱および前記手摺笠木の間に取り付けられた手摺材とを備える建具の施工方法であって、前記一対の支柱における互いに対向する面には、互いに近づく方向にそれぞれ突出する手摺材支持部が設けられ、前記手摺笠木の下端および前記手摺材の上端のうち一方には、嵌合部が設けられ、他方には、被嵌合部が設けられ、前記手摺材の下端には、前記手摺材支持部を支点にして前記手摺材が回動可能なように前記手摺材支持部で支持される被支持部と、当該被支持部の見込み方向の一方側に配置され前記嵌合部が前記被嵌合部に嵌め込まれた状態で前記手摺材を位置決めする位置決め部とが設けられ、前記手摺材を斜めにして前記被支持部を前記手摺材支持部で支持させ、前記手摺材支持部を支点にして前記手摺材を回動させることで、前記嵌合部と前記被嵌合部とを対向させ、前記手摺材を上方に移動させて前記嵌合部を前記被嵌合部に嵌め込み、前記手摺材の下端を見込み方向の他方側に回動させて前記位置決め部により前記手摺材を位置決めすることを特徴とする。
本発明によれば、上述の建具と同様の効果を期待できる。
【図面の簡単な説明】
【００１３】
【図１】本発明の一実施形態に係る建具の正面図。
【図２】前記建具の下部を示す横断面図。
【図３】図２の要部の拡大図。
【図４】前記建具の縦断面図。
【図５】前記建具の上部を示す平面図。
【図６】前記建具の施工方法を示す縦断面図。
【図７】前記建具の施工方法を示す縦断面図であり、図６に続く手順を示す。
【図８】前記建具の施工方法を示す縦断面図であり、図７に続く手順を示す。
【図９】前記建具の施工方法を示す縦断面図であり、図８に続く手順を示す。
【図１０】本発明の変形例に係る建具の要部を示す縦断面図であり、（Ａ）は手摺笠木と上胴縁連結部材とを示し、（Ｂ）は下胴縁連結部材を示す。
【図１１】本発明の他の変形例に係る建具の正面図。
【発明を実施するための形態】
【００１４】
以下、本発明の一実施形態を図面に基づいて説明する。
図１に示すように、建具としての手摺１は、バルコニーの床やパラペットなどの図示しない躯体を覆う下笠木２に設けられ、当該下笠木２に互いに間隔を隔てて立設された複数の支柱３と、当該複数の支柱３の上端間にわたって設けられた手摺笠木４と、支柱３および手摺笠木４の間に設けられた手摺材としての縦格子５とを備えている。
【００１５】
支柱３は、図２および図３に示すように、中空部３１を有する例えばアルミニウム製の押出成形部材であり、中空部３１が支柱補強部材９に挿入されて、図示しないビスにより支柱補強部材９に固定されている。
また、支柱３の見込み面３２における下端側には、図３および図４にも示すように、突出部材３３が設けられている。この突出部材３３は、ビス３４によって支柱３の見込み面３２に取り付けられる取付面部３５と、取付面部３５の上端から見付け方向に延びる手摺材支持部としての縦格子支持部３６とを有する略Ｌ字板状に形成されている。
さらに、支柱３の上端には、図５に示すように、手摺笠木４を固定するための略長方形板状の固定部材３７が設けられている。この固定部材３７は、見付け方向の寸法が支柱３よりも大きく、かつ、見込み方向の寸法が支柱３と略等しい形状を有している。そして、固定部材３７は、４個のビス３８が中空部３１内に設けられたビスホール３９（図３参照）に螺合されることにより、支柱３に固定されている。
【００１６】
手摺笠木４は、図４に示すように、断面略長方形状に形成されている。手摺笠木４の下面部４１には、上面部４２側に凹む被嵌合部としての凹部４３が設けられている。この凹部４３には、ナット４４が落下しないように収容されるナット収容部４５が設けられている。
そして、手摺笠木４は、凹部４３が固定部材３７に嵌め込まれるとともに、下側から固定部材３７に挿通されたボルト４６がナット４４に螺合されることで、支柱３に固定されている。また、手摺笠木４の端部は、ブラケット４７を介して建物の壁Ｗに固定されている。
【００１７】
縦格子５は、図２、図４および図５に示すように、中空部を有する例えばアルミニウム製の押出成形部材である複数の格子材５１と、当該複数の格子材５１の下端間にわたって設けられた係合部としての下胴縁連結部材５５と、複数の格子材５１の上端間にわたって設けられた嵌合部としての上胴縁連結部材６５とを備えている。
【００１８】
下胴縁連結部材５５は、下笠木２の上面に対向する長方形板状の係合基部としての笠木対向部５６を備える。笠木対向部５６の短手方向（見込み方向）の寸法（見込み寸法）Ｄ１は、格子材５１の見込み寸法および縦格子支持部３６の見込み寸法Ｄ３よりも大きく設定されている。また、笠木対向部５６の長手方向（見付け方向）の寸法（見付け寸法）は、一対の支柱３の間隔よりも若干小さく設定されている。
【００１９】
また、笠木対向部５６の見込み方向の一側縁（屋外側の側縁）には、下方に延出する屋外側延出部５７が設けられ、他側縁（屋内側の側縁）には、屋外側延出部５７と同様に延出する屋内側延出部５８が設けられている。屋外側延出部５７および屋内側延出部５８の延出寸法（高さ寸法）は、突出部材３３の高さ寸法よりも大きく設定されている。
さらに、笠木対向部５６の見込み方向の一方側（屋内側延出部５８側）には、下方に突出する係合突部としての第１位置決め部５９が設けられている。第１位置決め部５９の突出寸法（高さ寸法）は、突出部材３３の高さ寸法との合計値が屋外側延出部５７の高さ寸法よりも若干小さく設定されている。また、第１位置決め部５９は、当該第１位置決め部５９と屋外側延出部５７との間の寸法（後述する被支持部６０の見込み寸法）Ｄ２が縦格子支持部３６の見込み寸法Ｄ３よりも大きくなる位置に設けられている。
このように見込み寸法Ｄ２を見込み寸法Ｄ３よりも大きくすることによって、縦格子５を斜めにした状態において、第１位置決め部５９と屋外側延出部５７と間の空間Ｓに、縦格子支持部３６を位置させることが可能となる。そして、笠木対向部５６における空間Ｓに面する部分（第１位置決め部５９よりも屋外側延出部５７側の部分）によって、縦格子５の取り付け時に縦格子支持部３６で支持される被支持部６０が構成されている。
また、屋内側延出部５８における第１位置決め部５９と略等しい高さ位置には、第１位置決め部５９に向けて突出する係合突部としての第２位置決め部６１が設けられている。すなわち、下胴縁連結部材５５には、当該下胴縁連結部材５５の内部に向けて突出する第１位置決め部５９および第２位置決め部６１が設けられている。なお、第１位置決め部５９および第２位置決め部６１は、下胴縁連結部材５５の見付け方向の全域にわたって設けられていてもよいし、見付け方向の両端のみに設けられていてもよい。
【００２０】
そして、下胴縁連結部材５５は、笠木対向部５６に挿通されたビス６２が格子材５１の下端のビスホール５２に螺合されることで、複数の格子材５１を連結している。また、下胴縁連結部材５５の第１位置決め部５９および第２位置決め部６１が縦格子支持部３６の上面に当接し、屋内側延出部５８が突出部材３３の屋内面に当接する状態で、笠木対向部５６に挿通されたビス６３が縦格子支持部３６に螺合されることで、縦格子５が支柱３に固定される。
【００２１】
上胴縁連結部材６５は、長方形板状の上連結本体部６６を備える。上連結本体部６６の短手方向（見込み方向）の寸法は、格子材５１の見込み方向の寸法よりも若干大きく、かつ、手摺笠木４の凹部４３の見込み方向の寸法と略等しい大きさに設定されている。また、上連結本体部６６の長手方向（見付け方向）の寸法は、一対の固定部材３７の間隔よりも若干小さく設定されている。
上連結本体部６６の見込み方向の両側縁には、上方に突出する一対の嵌合突部６７が設けられている。嵌合突部６７の突出寸法（高さ寸法）は、凹部４３の深さ寸法（上下方向の寸法）と略等しい大きさに設定されている。
そして、上胴縁連結部材６５は、上連結本体部６６に挿通されたビス６８が格子材５１の上端のビスホール５２に螺合されることで、複数の格子材５１を連結している。また、上胴縁連結部材６５は、一対の嵌合突部６７が手摺笠木４の凹部４３に嵌め込まれることで、手摺笠木４に対して固定される。
【００２２】
次に、手摺１を施工する方法について説明する。なお、以下の方法は、一例であり、可能な範囲で順序を入れ替えてもよい。
まず、支柱３に突出部材３３と固定部材３７とを取り付けた後に支柱３を下笠木２に立設する。次に、手摺笠木４を固定部材３７と壁Ｗとに固定する。
一方で、複数の格子材５１の下端に下胴縁連結部材５５を取り付けるとともに、上端に上胴縁連結部材６５を取り付けた縦格子５を準備する。
【００２３】
この後、作業者は、図６に示すように、上端が下端よりも屋内側に位置するように縦格子５を斜めにして、当該縦格子５の下端の被支持部６０を縦格子支持部３６で支持させる。次に、図７に示すように、縦格子支持部３６を支点にして縦格子５の上端を屋外側に回動させて、縦格子５の上胴縁連結部材６５と手摺笠木４の凹部４３とを対向させる。このとき、被支持部６０の見込み寸法Ｄ２が縦格子支持部３６の見込み寸法Ｄ３よりも大きいため、縦格子支持部３６を支点にして縦格子５を容易に回動させることができる。
そして、作業者は、図８に示すように、縦格子５を上方に移動させて、上胴縁連結部材６５を凹部４３に嵌め込む。次に、図９に示すように、当該嵌め込み部分を支点にして縦格子５の下端を屋内側に回動させて、第１位置決め部５９の先端部および第２位置決め部６１の下面を縦格子支持部３６の上面に当接させるとともに、屋内側延出部５８を突出部材３３の屋内面に当接させることで、支柱３と格子材５１とが略平行となるように縦格子５を位置決めする。この後、作業者が縦格子５を縦格子支持部３６上に仮置きして、ビス６３によって下胴縁連結部材５５を突出部材３３に固定することで、縦格子５の取付作業が完了する。そして、全ての縦格子５について上述の作業を行うことで、手摺１の施工が完了する。
【００２４】
以上のような実施形態によれば、以下の効果がある。
（１）手摺１を構成する支柱３に、縦格子支持部３６を設け、手摺笠木４の下面に凹部４３を設けている。そして、縦格子５の上端に、上胴縁連結部材６５を設け、縦格子５の下端に、縦格子支持部３６で支持される被支持部６０と、当該被支持部６０の見込み方向の一方側に配置された第１，第２位置決め部５９，６１とを有する下胴縁連結部材５５を設けている。
このため、上述したように、縦格子５の被支持部６０を縦格子支持部３６で支持させてから、縦格子支持部３６を支点にして縦格子５を回動させ、その後、縦格子５を上方に移動させて上胴縁連結部材６５を凹部４３に嵌め込み、縦格子５の下端を回動させて第１，第２位置決め部５９，６１により縦格子５を位置決めすることで、施工を完了することができる。
したがって、施工途中に新たな部品を取り付けることがないため、手摺１を容易に施工できる。また、縦格子５を回動させるだけの簡単な手順で、上胴縁連結部材６５を凹部４３に嵌め込むことができるとともに、縦格子５を位置決めできる。
【００２５】
（２）断面略コ字状の下胴縁連結部材５５内に突出する第１，第２位置決め部５９，６１を設けるとともに、笠木対向部５６における空間Ｓに面する部分で被支持部６０を構成している。
このため、断面略コ字状の部材に突片状の部位を設けるだけの簡単な構成で、上述の効果を奏することができる手摺１を提供できる。
【００２６】
（３）支柱３と手摺笠木４とを組み立てた後に縦格子５を取り付けることができ、手摺１の施工が容易になる。
また、上胴縁連結部材６５を凹部４３に嵌め込んだ状態で、縦格子５を縦格子支持部３６上に仮置きすることができるため、手摺１の施工が容易になる。
さらに、下胴縁連結部材５５内の第１，第２位置決め部５９，６１を縦格子支持部３６に載せることで、縦格子５を支持する構造を採用している。このため、デザインにより縦格子５と下笠木２との隙間が小さい場合であっても、縦格子５を支持するためのスペーサを笠木対向部５６と縦格子支持部３６との隙間に挿入する必要がなく、施工が容易になる。
【００２７】
なお、本発明は、前記実施形態に限定されるものではなく、本発明の目的を達成できる他の構成等を含み、以下に示すような変形等も本発明に含まれる。
例えば、図１０（Ａ）に示すような手摺笠木４Ａおよび嵌合部としての上胴縁連結部材６５Ａを適用してもよい。上胴縁連結部材６５Ａは、上記実施形態の一対の嵌合突部６７のうち一方を備えない構成を有している。手摺笠木４Ａの被嵌合部としての凹部４３Ａは、手摺笠木４Ａの見込み方向の一方側のみに形成されている。
また、図１０（Ｂ）に示すような位置決め部６４Ｂを有する係合部としての下胴縁連結部材５５Ｂを適用してもよい。位置決め部６４Ｂは、上記実施形態の第１位置決め部５９の先端と第２位置決め部６１の先端とをつなげた形状を有している。そして、下胴縁連結部材５５における位置決め部６４Ｂよりも屋外側延出部５７側の領域によって、被支持部６０が構成されている。
【００２８】
さらに、手摺材としては、図１１に示すように、縦格子５の代わりに、格子材５１の間隔が広い縦格子５Ｃ、上下に並ぶ格子材５１Ｄを有する横格子５Ｄ、ガラスやアクリル板などのパネル５１Ｅを有するパネルユニット５Ｅ、金網５１Ｆを有する金網フェンス５Ｆを適用してもよい。
また、第１，第２位置決め部５９，６１のうち一方を設けなくてもよい。
さらに、手摺笠木４に嵌合部としての凸部を設けるとともに、縦格子５に被嵌合部としての凹部を設けてもよい。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３０】
１…手摺（建具）、３…支柱、４，４Ａ…手摺笠木、５，５Ｃ…縦格子（手摺材）、５Ｄ…横格子（手摺材）、５Ｅ…パネルユニット（手摺材）、５Ｆ…金網フェンス（手摺材）、３６…縦格子支持部（手摺材支持部）、４３，４３Ａ…凹部（被嵌合部）、５５，５５Ｂ…下胴縁連結部材（係合部）、５６…笠木対向部（係合基部）、５９，６１…第１，第２位置決め部（係合突部）、６０…被支持部、６４Ｂ…位置決め部、６５，６５Ａ…上胴縁連結部材（嵌合部）。
【図１】
0005714474.tif 000002
【図２】
0005714474.tif 000003
【図３】
0005714474.tif 000004
【図４】
0005714474.tif 000005
【図５】
0005714474.tif 000006
【図６】
0005714474.tif 000007
【図７】
0005714474.tif 000008
【図８】
0005714474.tif 000009
【図９】
0005714474.tif 000010
【図１０】
0005714474.tif 000011
【図１１】
0005714474.tif 000012